(57)【特許請求の範囲】
【請求項１】
室内と室外とを連通する玄関開口部と、該玄関開口部を開閉する玄関扉と、室内と室外とを連通するバルコニー開口部とを備え、前記玄関開口部と前記バルコニー開口部とが室内を介して連通可能に構成された建築物に配設され、室内と室外の間で空気を流通させる換気システムであって、
室内天井壁と、上壁と、側壁と、隔壁と、換気用開口部と、換気用圧力調整扉と、第１、第２室外給気口と、第１、第２室内給気口とを備え、
前記室内天井壁はその下方に室内が臨む箇所に設けられ、
前記上壁は前記室内天井壁の上方にこれら天井壁と間隔を隔てて設けられ、
前記側壁は前記室内天井壁と前記上壁とを接続し、これらの壁により天井裏の空間を形成するように設けられ、
前記隔壁は前記天井裏の空間を前記玄関開口部に近い側の第１空間と前記バルコニー開口部に近い側の第２空間とに区画するように設けられ、
前記換気用開口部は前記第１空間と前記第２空間とを連通するように前記隔壁に設けられ、
前記換気用圧力調整扉は前記換気用開口部を開閉するように設けられるとともに、前記換気用開口部の開口面積を調整することで前記換気用開口部の箇所を流れる空気の量が所定範囲となるように構成され、
前記第１室内給気口は前記第１空間と該第１空間の下方に位置する居室とを連通するように前記室内天井壁に設けられ、
前記第２室内給気口は前記第２空間と該第２空間の下方に位置する居室とを連通するように前記室内天井壁に設けられ、
前記第１室外給気口は前記玄関開口部側の室外と前記第１空間とを連通するように前記玄関開口部側の室外に面する前記側壁に設けられ、
前記第２室外給気口は前記バルコニー開口部側の室外と前記第２空間とを連通するように前記バルコニー開口部側の室外に面する前記側壁に設けられた、
ことを特徴とする換気システム。
【請求項２】
制御手段を設けるとともに、前記第１、第２室外給気口の少なくとも一方に開閉手段を設け、前記開閉手段は前記制御手段の制御によって前記第１、第２室外給気口の少なくとも一方を開閉するように構成されていることを特徴とする請求項１記載の換気システム。
【請求項３】
居室内の空気を室外に排気するための換気扇と、前記換気扇により排気される空気を室内から室外に導く排気ダクトと、前記換気扇が作動したことを検知する換気扇動作検知手段とを設け、前記制御手段は前記換気扇動作検知手段によって前記換気扇の作動を認識したときに前記開閉手段を開放させるように構成されていることを特徴とする請求項２記載の換気システム。
【請求項４】
前記開閉手段が閉鎖されたことで作動するタイマ手段を設け、前記制御手段は前記タイマ手段が所定時間を計時したことに基づいて前記開閉手段を開放させるように構成されていることを特徴とする請求項３記載の換気システム。
【請求項５】
前記開閉手段が閉鎖されたことで作動するタイマ手段を設け、前記開閉手段は前記タイマ手段が所定時間を計時したことに基づいて自ら開放するように構成されていることを特徴とする請求項３記載の換気システム。
【請求項６】
前記居室を区画する間仕切壁を設け、前記間仕切壁の内部に上下方向に延在する換気空間を形成し、前記換気空間と前記天井裏の空間を連通させ、前記間仕切壁に前記換気空間と連通する壁部給気口を設けたことを特徴とする請求項１乃至５に何れか１項記載の換気システム。
【請求項７】
室内と室外とを連通する玄関開口部と、該玄関開口部を開閉する玄関扉と、室内と室外とを連通するバルコニー開口部とを備え、前記玄関開口部と前記バルコニー開口部とが室内を介して連通可能に構成された建築物に配設され、室内と室外の間で空気を流通させる換気システムであって、
廊下室と、開閉扉と、室内天井壁と、上壁と、側壁と、隔壁と、換気用開口部と、換気用圧力調整扉と、第１、第２室外給気口と、第１、第２室内給気口と、玄関扉開放検知手段と、制御手段とを備え、
前記廊下室は前記玄関開口部に接続されて設けられ、前記玄関開口部と前記バルコニー開口部の間を連通する空間の一部を構成し、
前記開閉扉は前記空間を区画して前記玄関開口部との間に風除室が形成されるように前記廊下室の中間箇所に配設され、
前記室内天井壁はその下方に室内が臨む箇所に設けられ、
前記上壁は前記室内天井壁の上方にこれら天井壁と間隔を隔てて設けられ、
前記側壁は前記室内天井壁と前記上壁とを接続し、これらの壁により天井裏の空間を形成するように設けられ、
前記隔壁は前記天井裏の空間を前記玄関開口部に近い側の第１空間と前記バルコニー開口部に近い側の第２空間とに区画するように設けられ、
前記換気用開口部は前記第１空間と前記第２空間とを連通するように前記隔壁に設けられ、
前記換気用圧力調整扉は前記換気用開口部を開閉するように設けられるとともに、前記換気用開口部の開口面積を調整することで前記換気用開口部の箇所を流れる空気の量が所定範囲となるように、かつ、前記制御手段の制御によって前記換気用開口部を閉鎖するように構成され、
前記第１室内給気口は前記第１空間と該第１空間の下方に位置する居室とを連通するように前記室内天井壁に設けられ、
前記第２室内給気口は前記第２空間と該第２空間の下方に位置する居室とを連通するように前記室内天井壁に設けられ、
前記第１室外給気口は前記玄関開口部側の室外と前記第１空間とを連通するように前記玄関開口部側の室外に面する前記側壁に設けられ、
前記第２室外給気口は前記バルコニー開口部側の室外と前記第２空間とを連通するように前記バルコニー開口部側の室外に面する前記側壁に設けられ、
前記玄関扉開放検知手段は前記玄関扉のノブが開放操作されたことを検知するように構成され、
前記制御手段は前記玄関扉開放検知手段が前記玄関扉の開放操作を検知したときに所定時間だけ前記換気用圧力調整扉を閉鎖させるように制御する、
ことを特徴とする換気システム。
【請求項８】
前記制御手段はマイクロコンピュータまたはパーソナルコンピュータから構成されていることを特徴とする請求項２、３、４、５、７に何れか１項記載の換気システム。
【発明の詳細な説明】
【０００１】
【発明の属する技術分野】
本発明は建築物の室内と室外の空気を流通させる換気システムに関する。
【０００２】
【従来の技術】
例えば、高層マンションなどの建築物では、玄関扉を開閉する場合、建築物の室内と室外の間に気圧差が生じると、玄関扉の開閉に支障を来すことがある。例えば、玄関扉に向かって強い風が吹きつけていたり、建築物の室内において換気扇を動作させて室内の空気を室外に排気したりしている場合には、室内の気圧が負圧となり室外の気圧が正圧となり、室内外の気圧差によって玄関扉が開けにくくなる。このような扉の開閉障害を回避するためには、室内と室外との気圧差を緩和するために室内外の空気の流通を適切に行う必要がある。
【０００３】
ところで、従来から、室内と室外との間で換気を行うために、玄関扉の近くに空気が流通する給気口が設けられたり、天井裏の空間を利用して室内と室外の空気を流通させたりすることが行われている。そして、このような室内と室外の空気の流通によって室内と室外との気圧差を緩和することが図られている。
また、玄関扉のノブと鍵の機構に、開口部と、その開口部を開閉する圧力調整用扉を設け、ノブの操作に連動して圧力調整用扉を開閉させることで、室内と室外の空気を流通させ室内と室外との気圧差を緩和する技術も提案されている。
【０００４】
【発明が解決しようとする課題】
しかしながら、玄関扉の近くに設けられている給気口は、換気を目的としており、給気口の有効開口面積が少なく、屋外から屋内への給気量が不足しているため、室内と室外の気圧差を緩和するには至っていない。
また、天井裏の空間を利用して空気を流通させる場合も同様であり、換気を目的としており、空気の流通する経路が屋外の給気口で狭く、天井裏の空間で広くなり、屋内の給気口で再び狭くなっている。このため、屋外から屋内に流入する空気の流路面積が縮小、拡大、縮小と変化して流路間の抵抗が大きく屋外から屋内への給気量が不足してやはり室内と室外の気圧差を緩和する機能が不十分であった。
また、ノブの操作に連動して圧力調整用扉を開閉させることで、室内と室外の空気を流通させ室内と室外との気圧差を緩和する場合には、ノブと鍵の機構という限定されたスペースに開口部が設けられているため、開口部の有効開口面積が少なく、屋外から屋内への給気量が不足し、室内と室外の気圧差を緩和する機能は不十分であった。
また、屋内で換気扇を使用して屋内の空気を屋外に排気しているような場合には、室内と室外との気圧差が増大し、玄関扉がさらに開けにくくなるという問題がある。
また、屋内で換気扇を使用して屋内の空気を屋外に排気する際、室内が負圧で室外が正圧となっていると、換気扇による換気量が低下し、換気扇に過大な負荷がかかるという問題も生じる。
また、このような建築物で室内外の換気を行うためには、玄関扉やバルコニーの戸を開放したり、換気扇を動作させて室内の空気を室外に排気するなどしなくてはならず、換気の効率がよいものとはいえなかった。
本発明は前記事情に鑑み案出されたものであって、本発明の目的は、室内外の空気の流通を適切に行うことができる換気システムを提供することにある。
【０００５】
【課題を解決するための手段】
前記目的を達成するため本発明は、室内と室外とを連通する玄関開口部と、該玄関開口部を開閉する玄関扉と、室内と室外とを連通するバルコニー開口部とを備え、前記玄関開口部と前記バルコニー開口部とが室内を介して連通可能に構成された建築物に配設され、室内と室外の間で空気を流通させる換気システムであって、室内天井壁と、上壁と、側壁と、隔壁と、換気用開口部と、換気用圧力調整扉と、第１、第２室外給気口と、第１、第２室内給気口とを備え、前記室内天井壁はその下方に室内が臨む箇所に設けられ、前記上壁は前記室内天井壁の上方にこれら天井壁と間隔を隔てて設けられ、前記側壁は前記室内天井壁と前記上壁とを接続し、これらの壁により天井裏の空間を形成するように設けられ、前記隔壁は前記天井裏の空間を前記玄関開口部に近い側の第１空間と前記バルコニー開口部に近い側の第２空間とに区画するように設けられ、前記換気用開口部は前記第１空間と前記第２空間とを連通するように前記隔壁に設けられ、前記換気用圧力調整扉は前記換気用開口部を開閉するように設けられるとともに、前記換気用開口部の開口面積を調整することで前記換気用開口部の箇所を流れる空気の量が所定範囲となるように構成され、前記第１室内給気口は前記第１空間と該第１空間の下方に位置する居室とを連通するように前記室内天井壁に設けられ、前記第２室内給気口は前記第２空間と該第２空間の下方に位置する居室とを連通するように前記室内天井壁に設けられ、前記第１室外給気口は前記玄関開口部側の室外と前記第１空間とを連通するように前記玄関開口部側の室外に面する前記側壁に設けられ、前記第２室外給気口は前記バルコニー開口部側の室外と前記第２空間とを連通するように前記バルコニー開口部側の室外に面する前記側壁に設けられたことを特徴とする。
また、本発明は、制御手段を設けるとともに、前記第１、第２室外給気口の少なくとも一方に開閉手段を設け、前記開閉手段は前記制御手段の制御によって前記第１、第２室外給気口の少なくとも一方を開閉するように構成されていることを特徴とする。
また、本発明は、居室内の空気を室外に排気するための換気扇と、前記換気扇により排気される空気を室内から室外に導く排気ダクトと、前記換気扇が作動したことを検知する換気扇動作検知手段とを設け、前記制御手段は前記換気扇動作検知手段によって前記換気扇の作動を認識したときに前記開閉手段を開放させるように構成されていることを特徴とする。
また、本発明は、前記開閉手段が閉鎖されたことで作動するタイマ手段を設け、前記制御手段は前記タイマ手段が所定時間を計時したことに基づいて前記開閉手段を開放させるように構成されていることを特徴とする。
また、本発明は、前記開閉手段が閉鎖されたことで作動するタイマ手段を設け、前記開閉手段は前記タイマ手段が所定時間を計時したことに基づいて自ら開放するように構成されていることを特徴とする。
また、本発明は、前記居室を区画する間仕切壁を設け、前記間仕切壁の内部に上下方向に延在する換気空間を形成し、前記換気空間と前記天井裏の空間を連通させ、前記間仕切壁に前記換気空間と連通する壁部給気口を設けたことを特徴とする。
また、本発明は、室内と室外とを連通する玄関開口部と、該玄関開口部を開閉する玄関扉と、室内と室外とを連通するバルコニー開口部とを備え、前記玄関開口部と前記バルコニー開口部とが室内を介して連通可能に構成された建築物に配設され、室内と室外の間で空気を流通させる換気システムであって、廊下室と、開閉扉と、室内天井壁と、上壁と、側壁と、隔壁と、換気用開口部と、換気用圧力調整扉と、第１、第２室外給気口と、第１、第２室内給気口と、玄関扉開放検知手段と、制御手段とを備え、前記廊下室は前記玄関開口部に接続されて設けられ、前記玄関開口部と前記バルコニー開口部の間を連通する空間の一部を構成し、前記開閉扉は前記空間を区画して前記玄関開口部との間に風除室が形成されるように前記廊下室の中間箇所に配設され、前記室内天井壁はその下方に室内が臨む箇所に設けられ、前記上壁は前記室内天井壁の上方にこれら天井壁と間隔を隔てて設けられ、前記側壁は前記室内天井壁と前記上壁とを接続し、これらの壁により天井裏の空間を形成するように設けられ、前記隔壁は前記天井裏の空間を前記玄関開口部に近い側の第１空間と前記バルコニー開口部に近い側の第２空間とに区画するように設けられ、前記換気用開口部は前記第１空間と前記第２空間とを連通するように前記隔壁に設けられ、前記換気用圧力調整扉は前記換気用開口部を開閉するように設けられるとともに、前記換気用開口部の開口面積を調整することで前記換気用開口部の箇所を流れる空気の量が所定範囲となるように、かつ、前記制御手段の制御によって前記換気用開口部を閉鎖するように構成され、前記第１室内給気口は前記第１空間と該第１空間の下方に位置する居室とを連通するように前記室内天井壁に設けられ、前記第２室内給気口は前記第２空間と該第２空間の下方に位置する居室とを連通するように前記室内天井壁に設けられ、前記第１室外給気口は前記玄関開口部側の室外と前記第１空間とを連通するように前記玄関開口部側の室外に面する前記側壁に設けられ、前記第２室外給気口は前記バルコニー開口部側の室外と前記第２空間とを連通するように前記バルコニー開口部側の室外に面する前記側壁に設けられ、前記玄関扉開放検知手段は前記玄関扉のノブが開放操作されたことを検知するように構成され、前記制御手段は前記玄関扉開放検知手段が前記玄関扉の開放操作を検知したときに所定時間だけ前記換気用圧力調整扉を閉鎖させるように制御することを特徴とする。
また、本発明は、前記制御手段はマイクロコンピュータまたはパーソナルコンピュータから構成されていることを特徴とする。
【０００６】
本発明の換気システムでは、玄関側からバルコニー側に向かう方向に空気が吹きつけたときには、その空気は第１室外給気口から第１空間、換気用開口部、第２空間、第２室外給気口という経路を経て流通し、バルコニー側から玄関側からに向かう方向に空気が吹きつけたときには、その空気は第２室外給気口から第２空間、換気用開口部、第１空間、第１室外給気口という経路を経て流通する。すなわち、バルコニー側と玄関側の何れか気圧の高い側から低い側に向かって空気を流通させることができる。この結果、室外の空気は第１空間から第１室内給気口を経由して居室に流通し、また、第２空間から第２室内給気口を経由して居室に流通する。したがって、玄関扉やバルコニーの戸を開放したり、換気扇を作動させたりすることなく、自然の空気の流れを利用して室内外で効率よく常時換気を行うことが可能となる。
また、本発明の換気システムでは、玄関扉やバルコニーの戸を開放したり、換気扇を作動させたりすることなく、自然の空気の流れを利用して室内外で効率よく常時換気を行うことが可能となる。また、玄関扉に対して空気が吹き付けることで、玄関開口部側の室外が正圧となり室内が負圧となった場合でも、開閉扉が閉鎖されて廊下室に風除室が形成されることで、この風除室の作用によって室内外の圧力差が緩和されるため、玄関扉にかかる圧力が低減され、玄関扉を容易に開放することができる。さらに、玄関扉開放検知手段が玄関扉の開放操作を検知したときに所定時間だけ換気用圧力調整扉を閉鎖することで、バルコニー側の室外の気圧が廊下室の気圧に影響を与えることを防止して風除室による気圧緩和を確実に行なうことができる。
【０００７】
【発明の実施の形態】
以下、本発明の換気システムを図面を参照して説明する。
図１は本発明の換気システムの実施の形態の構成を示す居室部分の平面図、図２は同実施の形態における天井裏部分の平面図、図３は図２のＡＡ線断面図であり、図４は同実施の形態における給気シャッターの制御動作を説明するフローチャート、図５は同実施の形態における制御系の構成を示すブロック図である。
【０００８】
図１、図２を参照して換気システムの全体構成について説明する。本実施の形態ではマンションなどの集合住宅を構成する建築物に本発明の換気システムを適用した例を説明する。
建築物１００には、床壁１０２、床壁１０２の側縁部から立設される側壁１０４、側壁１０４の上部を接続する上壁１０６（図３参照）、室内天井壁１０８（図２参照）、隔壁１１２、玄関室１１４、玄関開口部１１５、玄関扉１１６、廊下室１１８、開閉扉１２０、バルコニー１２２、バルコニー開口部１２３、外廊下１２４、換気用開口部１２６、換気用圧力調整扉１２８、第１、第２室外給気口１３０、１３２、第１、第２室内給気口１３４、１３６、第１、第２圧力調整扉１３８、１４０、換気扇１４２、１４４、排気ダクト１４６、１４８、１５０、室内排気口１５２、制御手段２００（図５参照）などが設けられている。
【０００９】
また、玄関開口部１１５に近い側には２つの居室１５４、１５６が、バルコニー開口部１２３に近い側には１つの居室１５８が設けられている。これら居室１５４、１５６と居室１５８の間には台所１６０、浴室１６２、トイレ室１６４、洗面所１６８が設けられている。これら各室は間仕切壁１７０によって区画されている。なお、居室１５４、１５６、１５８、台所１６０、浴室１６２、トイレ室１６４、洗面所１６８は全て特許請求の範囲の居室に相当している。
なお、図１において、１５４Ａは居室１５４の扉、１５４Ｂは居室１５４の窓、１５６Ａは居室１５６の扉、１５６Ｂは居室１５６の窓、１６０Ａ、１６０Ｂは台所１６０の出入口、１６２Ａは浴室１６２の引き戸、１６４Ａはトイレ室１６４の扉、１６８Ａは洗面所１６８の扉を示している。
【００１０】
玄関開口部１１５は室内外を連通するように設けられており、玄関扉１１６は玄関開口部１１５を開閉するように設けられている。
バルコニー開口部１２３は室内外を連通するように設けられており、バルコニー戸１２５はバルコニー開口部１２３を開閉するように設けられている。
【００１１】
図２に網掛けで示した部分は室内天井壁１０８を示しており、この室内天井壁１０８はその下方に室内が臨む箇所に設けられている。上壁１０６は室内天井壁１０８の上方にこれら天井壁１０８と間隔を隔てて設けられている。側壁１０４は室内天井壁１０８と上壁１０６とを接続し、これらの壁により天井裏の空間を形成するように設けられている。
隔壁１１２は、天井裏の空間を玄関開口部１１５に近い側の第１空間と前記バルコニー開口部１２３に近い側の第２空間とに区画するように設けられている。第１空間はその下方に居室１５４、１５６が位置する天井裏の空間であり、第２空間はその下方に居室１５８、台所１６０、浴室１６２、トイレ室１６４、洗面所１６６が位置する天井裏の空間である。
なお、図２において、網掛けを施していない箇所、すなわち廊下室１１８に対応する箇所と、居室１５８の一部の箇所（図２中左側）とには室内天井壁１０８が配設されておらず、天井裏の空間が形成されていない。
【００１２】
換気用開口部１２６は第１空間と第２空間とを連通するように隔壁１１２に設けられている。換気用圧力調整扉１２８は後述する制御手段２００（図５参照）によって換気用開口部１２６を開閉するように設けられるとともに、換気用開口部１２６の開口面積を調整することで換気用開口部１２６の箇所を流れる空気の量が所定範囲となるように構成されている。
【００１３】
第１室内給気口１３４は第１空間と該第１空間の下方に位置する居室１５４、１５６とをそれぞれ連通するように室内天井壁１０８に設けられている。
また、第２室内給気口１３６は第２空間と該第２空間の下方に位置する居室１５８、台所１６０、浴室１６２、トイレ室１６４、洗面所１６６とをそれぞれ連通するように室内天井壁１０８に設けられている。
【００１４】
第１室外給気口１３０は玄関開口部１１５側の室外と第１空間とを連通するように玄関開口部１１５側の室外に面する側壁１０４に設けられている。
第２室外給気口１３２は前記バルコニー開口部１２３側の室外と第２空間とを連通するようにバルコニー開口部１２３側の室外に面する側壁１０４に設けられている。そして、第２室外給気口１３２には後述する制御手段２００の制御によって第２外給気口を開閉する給気シャッタ１３３（特許請求の範囲の開閉手段に相当）が設けられている。
【００１５】
換気扇１４２は台所１６０内の空気を室外に排気するものであり、排気ダクト１４６はこの換気扇１４２により排気される空気を室内からバルコニー１２０側の室外に導くように配設されている。
室内排気口１５２は、浴室１６２、トイレ室１６４、洗面所１６６の室内天井壁１０８にそれぞれ設けられており、各室内排気口１５２は排気ダクト１５０によって換気扇１４４の給気口近傍の空間に連通されている。換気扇１４４は、これら排気ダクト１５０を介して浴室１６２、トイレ室１６４、洗面所１６６の室内の空気を吸引して室外に排気するものであり、排気ダクト１４８はこの換気扇１４４により排気される空気を室内からバルコニー１２０側の室外に導くように配設されている。
【００１６】
次に、図５を参照して制御系の構成について説明する。
制御手段２００は、マイクロコンピュータまたはパーソナルコンピュータから構成されており、ＣＰＵ、ＲＯＭ、ＲＡＭ、インターフェース、ディスプレイなどを備えている。
制御手段２００は、換気扇動作検知手段２０２、玄関扉開放検知手段２０４、給気シャッタ操作スイッチ２０６、タイマ手段２０８、給気シャッタ１３３、換気用圧力調整扉１２８と信号線を介して接続されている。
換気扇動作検知手段２０２は、換気扇１４２、１４４にそれぞれ設けられており、換気扇が作動したことを検知し、その検知信号を制御手段２００に与えるように構成されている。
玄関扉開放検知手段２０４は、玄関扉１１６に配設されており、玄関扉１１６のノブが開放操作されたことを検知し、その検知信号を制御手段２００に与えるように構成されている。
給気シャッタ操作スイッチ２０６は、室内の箇所に配設されており、この給気シャッタ操作スイッチ２０６が操作されることで、給気シャッタ１３３を開閉するための操作信号を制御手段２００に与えるように構成されている。
タイマ手段２０８は、制御手段２００からの起動信号によって計時動作を開始し、所定時間の計時が終了したことを示す計時信号を制御手段２００に与えるように構成されている。
給気シャッタ１３３と換気用圧力調整扉１２８は、制御手段２００からの制御信号によって開閉されるように構成されている。
【００１７】
図３に示すように、トイレ室１６４と洗面所１６８とを区画する間仕切壁１７０には、その内部に上下方向に延在する換気空間１７１が形成されている。
換気空間１７１と天井裏の空間とは連通しており、間仕切壁１７０の下端部には換気空間１７１と連通する壁部給気口１７０Ａがトイレ室１６４と洗面所１６８の室内のそれぞれの側に臨むように配設されている。
【００１８】
廊下室１１８は玄関開口部１１５に接続されて設けられ、玄関開口部１１５とバルコニー開口部１２３の間を連通する空間の一部を構成している。開閉扉１２０は上記空間を区画して玄関開口部１１５との間に風除室が形成されるように廊下室１１８の中間箇所に配設されている。
【００１９】
玄関扉１１５には、第１開口部１３９が室外と風除室とを連通するように配設されている。第１圧力調整扉１３８は第１開口部１３９を開閉するように設けられるとともに、前記第１開口部１３９の開口面積を調整することで第１開口部１３９の箇所を流れる空気の量が所定範囲となるように構成されている。
開閉扉１２０には、第２開口部１４１が前記風除室と前記バルコニー開口部１２３に連通する空間とを連通するように配設されている。前記第２圧力調整扉１４０は前記第２開口部１４１を開閉するように設けられるとともに、前記第２開口部１４１の開口面積を調整することで前記第２開口部１４１の箇所を流れる空気の量が所定範囲となるように構成されている
玄関扉１１５、開閉扉１２０には不図示のドアクローザが設けられており、常に閉鎖状態となるように構成されている。
【００２０】
次に、上述の構成による通常時の換気動作について説明する。
強風などが発生していない場合、第２室外給気口１３２の給気シャッタ１３３は開放状態に保持されている。
このため、玄関側からバルコニー側に向かう方向に空気が吹きつけたときには、その空気は、第１室外給気口１３０から第１空間、換気用開口部１２６、第２空間、第２室外給気口１３２という経路を経て流通する。そして、図３において矢印で示すように、第１空間から第１室内給気口１３４を経由して居室１５４、１５６に流通するとともに、第２空間から第２室内給気口１３６を経由して居室１５８、台所１６０、トイレ室１６４、浴室１６２、洗面室１６８に流通する。
また、バルコニー側から玄関側からに向かう方向に空気が吹きつけたときには、その空気は、第２室外給気口１３２から第２空間、換気用開口部１２６、第１空間、第１室外給気口１３０という経路を経て流通し、上述と同様に第１空間から第１室内給気口１３４を経由して居室１５４、１５６に流通するとともに、第２空間から第２室内給気口１３６を経由して居室１５８、台所１６０、トイレ室１６４、浴室１６２、洗面室１６８に流通する。
したがって、本実施の形態による換気システムによれば、玄関扉やバルコニー戸を開放したり、換気扇を作動させたりすることなく、自然の空気の流れを利用して室内外で効率よく常時換気を行うことが可能となる。この際、バルコニー側と玄関側の何れか気圧の高い側から低い側に向かって空気を流通させることができる。
【００２１】
また、トイレ室１６４、洗面室１６８には、間仕切壁１７０の内部の換気空間１７１を経由して下端部に配設された壁部給気口１７０Ａから空気が流通するため、通常換気がいきとどきにくい箇所にも十分な量の空気が流通する。なお、壁部給気口１７０Ａは、その他に換気が充分に行われない箇所、例えば収納庫や押し入れ等に設けることが換気の改善を図る上で望ましい。
【００２２】
また、各居室１５４、１５６、１５８、トイレ室１６４、浴室１６２、洗面室１６８に流通する空気量は、換気用開口部１２６に設けた換気用圧力調整扉１２８の開口面積を調整することで任意に調整することができる。なお、この換気用圧力調整扉１２８の開口面積の調整は例えば次のようにして行うことができる。すなわち、換気用圧力調整扉１２８が配設されている箇所の近傍の室内天井壁１０８の箇所に操作用の開口部を設け、その開口部から手動によって換気用圧力調整扉１２８の開口面積の調整を行うようにすればよい。
【００２３】
一方、台風などの天候によって強風が発生した場合には、図４のフローチャートに示すような制御動作を行う。
まず、居住者は、開放している第２室外給気口１３２から強風が吹き込むことによって、第１、第２室内給気口１３４、１３６から騒音が発生したり、冷気が居室に侵入したりするなどの支障があるか否かを判断する（ステップＳ１０）。
居住者は、特に支障がないと判断すれば給気シャッタ操作スイッチ２０６の操作を行う必要はない。この結果、制御手段２００は第２室外給気口１３２の給気シャッタ１３３を開放状態のまま保持し（ステップＳ１８）、ステップＳ１０に移行する。
もし、強風による支障が発生している場合には、居住者は給気シャッタ操作スイッチ２０６を給気シャッタを閉鎖するように操作する。制御手段２００は、給気シャッタ操作スイッチ２０６から与えられる操作信号に基づいて給気シャッタ１３３に制御信号を与えて閉鎖させる（ステップＳ１２）。そして、タイマ手段２０８に起動信号を与えて起動させる。
次いで、制御手段２００は、換気扇１４２、１４４の換気扇動作検知手段２０２からの検知信号によって換気扇の作動の有無を判断する（ステップＳ１４）。換気扇１４２、１４４の少なくとも一方が作動していると判断したときは、第２室外給気口１３２の給気シャッタ１３３に制御信号を与えて開放させ（ステップＳ１８）、ステップＳ１０に移行する。
したがって、室外の空気を第２室外給気口１３２から第２室内給気口１３６を経由して居室に導くことで各換気扇１４２、１４４による換気量を確保し、換気扇に過大な負荷がかかるという問題を防止することができる。
【００２４】
一方、ステップＳ１４で換気扇１４２、１４４の双方が非作動であると判断したときは、第２室外給気口１３２の給気シャッタ１３３の閉鎖状態を保持する。そして、ステップＳ１２で起動されたタイマ手段２０８が所定時間（例えば８時間）を計時したことを示す計時信号を制御手段２００に与えると（ステップＳ１６）、制御手段２００は第２室外給気口１３２の給気シャッタ１３３に制御信号を与えて開放させ（ステップＳ１８）、ステップＳ１０に移行する。これにより、第２室外給気口１３２の給気シャッタ１３３が閉鎖されても、所定時間が経過した後、第２室外給気口１３２を開放させることで室内外の換気動作を自動的に開始することができる。
【００２５】
次に、上述の構成による玄関扉の開閉時における換気動作について説明する。
前述したように、廊下室１１８の中間箇所に開閉扉１２０を配設することにより、開閉扉１２０と玄関開口部１１５との間に風除室が形成されている。そして、玄関扉１１６の第１開口部１３９には第１圧力調整扉１３８が配設され、開閉扉１２０の第２開口部１４１には第２圧力調整扉１４０が配設されている。
したがって、玄関扉１１６に対して空気が吹き付けることで、玄関開口部１１５側の室外が正圧となり室内が負圧となった場合でも、開閉扉１２０が閉鎖されて廊下室１１８に風除室が形成されることで、この風除室の作用によって室内外の圧力差が緩和されるため、玄関扉１１６にかかる圧力が低減され、玄関扉１１６を容易に開放することができる。
また、第１、第２圧力調整扉１３８、１４０の開口面積を調整することで、第１、第２開口部１３９、１４１の箇所を通過する空気量を調整して上記風除室と室外との気圧差を調整することができる。
なお、開閉扉１２０の隙間の箇所において充分な空気が廊下室１１８と居室１５８の間を流通することができれば、第２開口部１４１と第２圧力調整扉１４０は省略することもできる。
【００２６】
ところで、隔壁１１２には換気用開口部１２６が設けられているため、玄関扉１１６の開放に伴い、バルコニー側の室外の気圧が第２室外給気口１３２、天井裏の第１、第２空間、第１室内給気口１３４、居室１５４、１５６の扉１５４Ａ、１５６Ａを経由して廊下室１１８の気圧に影響を与え、風除室による気圧緩和の作用を阻害するおそれがある。
このため、制御手段２００は、玄関扉開放検知手段２０２から玄関扉１１６の開放操作を検知した検知信号を受けたときに所定時間（玄関扉１１６を開放操作するために必要な時間）だけ換気用圧力調整扉１２８に制御信号を与えて閉鎖する。
これにより、バルコニー側の室外の気圧が廊下室１１８の気圧に影響を与えることが防止され、風除室による気圧緩和を確実に行なわれ、玄関扉１１６を容易に開放することができるようになっている。
【００２７】
また、換気扇１４２、１４４が作動した場合には、先に説明したように、第２室外給気口１３２の給気シャッタ１３３が開放されることによって室外の空気が天井裏の第２空間を経由して第２室内給気口１３６から流通するので、換気扇１４２、１４４による排気動作によって室内が負圧となり玄関扉１１６が開けにくくなることが防止される。
【００２８】
また、高層マンションのように高層階と低層階とで室内と室外との気圧差が異なるような場合には、換気用圧力調整扉１２８の開口面積を調整することで換気量を適切な値に調整することができる。また、これと同様に、第１、第２圧力調整扉１３８、１４０の開口面積を調整することで廊下室１１８に形成される風除室と玄関開口部１１５側の室外との気圧差を適切な値に調整することができる。
【００２９】
なお、上述した実施の形態では、タイマ手段２０８を制御手段２００と別に設けたが、タイマ手段２０８は制御手段２００に含まれているタイマＩＣなどのハードウェアによって構成してもよいし、制御手段２００の制御プログラムによって実現されるソフトウェアによって構成してもよい。
また、給気シャッタには、タイマ手段と組み合わされて構成され、このタイマ手段の計時動作に基づいて開閉動作を行うように構成されたものが知られているが、このような給気シャッタを用いてもよい。すなわち、給気シャッタ１３３は、制御手段２００の制御によって閉鎖されたことで上記タイマ手段を起動させるとともに、上記タイマ手段が所定時間を計時したことに基づいて給気シャッタ１３３を自ら開放するように構成してもよい。
【００３０】
【発明の効果】
本発明は、室内と室外とを連通する玄関開口部と、該玄関開口部を開閉する玄関扉と、室内と室外とを連通するバルコニー開口部とを備え、前記玄関開口部と前記バルコニー開口部とが室内を介して連通可能に構成された建築物に配設され、室内と室外の間で空気を流通させる換気システムであって、室内天井壁と、上壁と、側壁と、隔壁と、換気用開口部と、換気用圧力調整扉と、第１、第２室外給気口と、第１、第２室内給気口とを備え、前記室内天井壁はその下方に室内が臨む箇所に設けられ、前記上壁は前記室内天井壁の上方にこれら天井壁と間隔を隔てて設けられ、前記側壁は前記室内天井壁と前記上壁とを接続し、これらの壁により天井裏の空間を形成するように設けられ、前記隔壁は前記天井裏の空間を前記玄関開口部に近い側の第１空間と前記バルコニー開口部に近い側の第２空間とに区画するように設けられ、前記換気用開口部は前記第１空間と前記第２空間とを連通するように前記隔壁に設けられ、前記換気用圧力調整扉は前記換気用開口部を開閉するように設けられるとともに、前記換気用開口部の開口面積を調整することで前記換気用開口部の箇所を流れる空気の量が所定範囲となるように構成され、前記第１室内給気口は前記第１空間と該第１空間の下方に位置する居室とを連通するように前記室内天井壁に設けられ、前記第２室内給気口は前記第２空間と該第２空間の下方に位置する居室とを連通するように前記室内天井壁に設けられ、前記第１室外給気口は前記玄関開口部側の室外と前記第１空間とを連通するように前記玄関開口部側の室外に面する前記側壁に設けられ、前記第２室外給気口は前記バルコニー開口部側の室外と前記第２空間とを連通するように前記バルコニー開口部側の室外に面する前記側壁に設けられた構成とした。
そのため、玄関側からバルコニー側に向かう方向に空気が吹きつけたときには、その空気は第１室外給気口から第１空間、換気用開口部、第２空間、第２室外給気口という経路を経て流通し、バルコニー側から玄関側からに向かう方向に空気が吹きつけたときには、その空気は第２室外給気口から第２空間、換気用開口部、第１空間、第１室外給気口という経路を経て流通する。この結果、室外の空気は第１空間から第１室内給気口を経由して居室に流通し、また、第２空間から第２室内給気口を経由して居室に流通する。したがって、玄関扉やバルコニーの戸を開放したり、換気扇を作動させたりすることなく、自然の空気の流れを利用して室内外で効率よく常時換気を行うことが可能となり、室内外に適切に空気を流通させることができる。
【００３２】
また、本発明は、室内と室外とを連通する玄関開口部と、該玄関開口部を開閉する玄関扉と、室内と室外とを連通するバルコニー開口部とを備え、前記玄関開口部と前記バルコニー開口部とが室内を介して連通可能に構成された建築物に配設され、室内と室外の間で空気を流通させる換気システムであって、廊下室と、開閉扉と、室内天井壁と、上壁と、側壁と、隔壁と、換気用開口部と、換気用圧力調整扉と、第１、第２室外給気口と、第１、第２室内給気口と、玄関扉開放検知手段と、制御手段とを備え、前記廊下室は前記玄関開口部に接続されて設けられ、前記玄関開口部と前記バルコニー開口部の間を連通する空間の一部を構成し、前記開閉扉は前記空間を区画して前記玄関開口部との間に風除室が形成されるように前記廊下室の中間箇所に配設され、前記室内天井壁はその下方に室内が臨む箇所に設けられ、前記上壁は前記室内天井壁の上方にこれら天井壁と間隔を隔てて設けられ、前記側壁は前記室内天井壁と前記上壁とを接続し、これらの壁により天井裏の空間を形成するように設けられ、前記隔壁は前記天井裏の空間を前記玄関開口部に近い側の第１空間と前記バルコニー開口部に近い側の第２空間とに区画するように設けられ、前記換気用開口部は前記第１空間と前記第２空間とを連通するように前記隔壁に設けられ、前記換気用圧力調整扉は前記換気用開口部を開閉するように設けられるとともに、前記換気用開口部の開口面積を調整することで前記換気用開口部の箇所を流れる空気の量が所定範囲となるように、かつ、前記制御手段の制御によって前記換気用開口部を閉鎖するように構成され、前記第１室内給気口は前記第１空間と該第１空間の下方に位置する居室とを連通するように前記室内天井壁に設けられ、前記第２室内給気口は前記第２空間と該第２空間の下方に位置する居室とを連通するように前記室内天井壁に設けられ、前記第１室外給気口は前記玄関開口部側の室外と前記第１空間とを連通するように前記玄関開口部側の室外に面する前記側壁に設けられ、前記第２室外給気口は前記バルコニー開口部側の室外と前記第２空間とを連通するように前記バルコニー開口部側の室外に面する前記側壁に設けられ、前記玄関扉開放検知手段は前記玄関扉のノブが開放操作されたことを検知するように構成され、前記制御手段は前記玄関扉開放検知手段が前記玄関扉の開放操作を検知したときに所定時間だけ前記換気用圧力調整扉を閉鎖させるように制御するように構成した。
そのため、玄関扉やバルコニーの戸を開放したり、換気扇を作動させたりすることなく、自然の空気の流れを利用して室内外で効率よく常時換気を行うことが可能となり、室内外に適切に空気を流通させることができる。また、玄関扉に対して空気が吹き付けることで、玄関開口部側の室外が正圧となり室内が負圧となった場合でも、開閉扉が閉鎖されて廊下室に風除室が形成されることで、この風除室の作用によって室内外の圧力差が緩和されるため、玄関扉にかかる圧力が低減され、玄関扉を容易に開放することができる。さらに、玄関扉開放検知手段が玄関扉の開放操作を検知したときに所定時間だけ換気用圧力調整扉を閉鎖することで、バルコニー側の室外の気圧が廊下室の気圧に影響を与えることを防止して風除室による気圧緩和が確実に行われる。
【図面の簡単な説明】
【図１】本発明の換気システムの実施の形態の構成を示す居室部分の平面図である。
【図２】同実施の形態における天井裏部分の平面図である。
【図３】図２のＡＡ線断面図である。
【図４】同実施の形態における給気シャッターの制御動作を説明するフローチャートである。
【図５】同実施の形態における制御系の構成を示すブロック図である。
【符号の説明】
１００  建築物
１０２  床壁
１０４  側壁
１０６  上壁
１０８  室内天井壁
１１２  隔壁
１１５  玄関開口部
１１６  玄関扉
１２３  バルコニー開口部
１２６  換気用開口部
１２８  換気用圧力調整扉
１３０  第１室外給気口
１３２  第２室外給気口
１３４  第１室内給気口
１３６  第２室内給気口
【図１】
0004082635.tif 000002
【図２】
0004082635.tif 000003
【図３】
0004082635.tif 000004
【図４】
0004082635.tif 000005
【図５】
0004082635.tif 000006